(57)【特許請求の範囲】
【請求項１】
容器首部に係止突起部を設けると共に、容器開口部を覆うように容器首部に嵌合するキャップ内筒部に、前記係止突起部に着脱自在に係合するキャップ係合突起部を設ける一方、キャップ外筒部に弾性変形可能なキャップスカート部を設け、前記キャップスカート部の内周にキャップスカート部が当接する上動テーパ面を有するキャップ離脱部材を設け、キャップスカート部の外周部に押圧力を加えて弾性変形せしめキャップ離脱部材を容器の一部に当接した状態でキャップ離脱部材の前記上動テーパ面にキャップスカート部を当接せしめてキャップを上動し、容器首部の係止突起部からキャップの係合突起部を離脱してキャップを容器首部からワンタッチで取り外すことができる容器のキャップ装置において、キャップスカート部の上部のキャップ外筒部の内周部に掛け止め突起部を設けると共に、キャップ離脱部材の上部に取付支持部を設け、取付支持部の外周部に前記掛け止め突起部に係合し得る上下動自在の上下摺動係合部を設けたことを特徴とする容器のキャップ装置。
【請求項２】
請求項１に記載の容器のキャップ装置において、キャップ離脱部材が当接する容器の一部が容器首部に設けてあることを特徴とする容器のキャップ装置。
【請求項３】
請求項１に記載の容器のキャップ装置において、キャップ離脱部材が当接する容器の一部が容器肩部からなることを特徴とする容器のキャップ装置。
【請求項４】
請求項１、２又は３に記載の容器のキャップ装置において、容器肩部とキャップ離脱部材との間に装着隙間を設けたことを特徴とする容器のキャップ装置。
【請求項５】
請求項１乃至４のいずれかに記載の容器のキャップ装置において、容器の首部にキャップ離脱部材が当接してキャップのガタを防止するガタ止め部を設けたことを特徴とする容器のキャップ装置。
【請求項６】
請求項５に記載の容器のキャップ装置において、キャップ離脱部材の上動テーパ面の基端部付近に前記容器首部のガタ止め部に当接する括れ部を設けたことを特徴とする容器のキャップ装置。
【請求項７】
請求項１乃至６のいずれかに記載の容器のキャップ装置において、容器の首部とキャップ内筒部との間に、互いに密着して嵌合する密封嵌合部を設けたことを特徴とする容器のキャップ装置。
【請求項８】
請求項１乃至７のいずれかに記載の容器のキャップ装置において、キャップ離脱部材の上面に上動テーパ面を設けたことを特徴とする容器のキャップ装置。
【請求項９】
請求項１乃至８のいずれかに記載の容器のキャップ装置において、キャップ離脱部材の下面が容器の一部に当接するように設けたことを特徴とする容器のキャップ装置。
【発明の詳細な説明】
【０００１】
【発明の属する技術分野】
本発明は、容器のキャップ装置に関する。
【０００２】
【従来の技術】
従来から実開昭５２−４３５３号公報及び実開昭６３−４２５６３号公報に記載のように、容器首部に係止突起部を設け、容器開口部を覆うように容器首部に嵌合するキャップ内筒部に、前記係止突起部に着脱自在に係合するようにキャップ係合突起部を設ける一方、キャップ外筒部に弾性変形可能なキャップスカート部を設け、外周部に押圧力を加えて容器のテーパ状肩部にキャップスカート部を当接せしめてキャップを上動し、容器首部の係止突起に係合していたキャップの係合突起部を離脱して、キャップを容器首部からワンタッチで取り外すことができ、逆に、キャップを容器首部に嵌着するときには、容器首部にの係止突起にキャップの係合突起部を直線的に係合してワンタッチでキャップの装着を完了する容器のキャップ装置は知られている。
【０００３】
【発明の解決しようとする課題】
従来技術において、キャップを容器首部からワンタッチで取り外すことができるためには、外周部に押圧力を加えたとき、容器のテーパ状肩部にキャップスカート部が当接してキャップを押し上げ、容器首部の係止突起に係合していたキャップの係合突起部を離脱する必要があり、先ず第１に、容器の肩部がテーパ状でなければならないと共に、第２に容器の肩部がキャップスカート部が当接してキャップを押し上げるに充分な硬度を有するものでなければならない。
従って、容器の肩部がキャップスカート部が当接してキャップを押し上げるに充分なテーパ状を有しない容器や、容器の肩部が柔軟でキャップスカート部を当接してキャップを押し上げることができない容器の場合には、従来の技術は適用することができない課題があった。
【０００４】
【課題を解決するための手段】
そこで、本発明は、容器首部に係止突起部を設けると共に、容器開口部を覆うように容器首部に嵌合するキャップ内筒部に、前記係止突起部に着脱自在に係合するキャップ係合突起部を設ける一方、キャップ外筒部に弾性変形可能なキャップスカート部を設けてなるキャップを容器首部にワンタッチで装着することができる容器のキャップ装置において、キャップスカート部の内周にキャップスカート部が当接する上動テーパ面を有するキャップ離脱部材を設け、キャップスカート部の外周部に押圧力を加えて弾性変形せしめキャップ離脱部材を容器の一部に当接した状態でキャップ離脱部材の上動テーパ面にキャップスカート部を当接せしめてキャップを上動し、容器首部の係止突起からキャップの係合突起部を離脱してキャップを容器首部からワンタッチで取り外すことができる容器のキャップ装置を提供するものである。
【０００５】
上記の本発明の容器のキャップ装置の構成によれば、キャップスカート部に押圧力を加え、キャップ離脱部材を容器の一部に当接せしめた状態でキャップスカート部をキャップ離脱部材の上動テーパ面に押し当てると、キャップはキャップ離脱部材に沿って上動し、それまで容器首部の係止突起部に係合していた係合突起部がキャップの上動に伴って離脱し、キャップを容器首部からワンタッチで取り外すことができ、逆に、キャップを容器首部に嵌着するときには、容器首部に設けた係止突起にキャップの係合突起部が直線的に係合してワンタッチでキャップの装着が完了するから、容器の肩部がキャップスカート部によりキャップを押し上げるに充分なテーパ状を有しない容器や、容器首部がキャップスカート部より長い容器や、容器の肩部が柔軟でキャップスカート部を当接してキャップを押し上げることができない容器等の場合においても、キャップをワンタッチで着脱することができる。
【０００６】
また、本発明は、請求項１に記載の容器のキャップ装置において、キャップ離脱部材が当接する容器の一部が容器首部に設けてあることを特徴とする容器のキャップ装置を提供するものである。
本発明によれば、キャップ離脱操作時に、キャップ離脱部材が容器の首部に設けた容器の一部に当接してキャップスカート部を上動してキャップを離脱することができるから、例えば、容器の首部がキャップスカート部より長い容器のように、容器の肩部の位置や形状にかかわらず、首部の構造だけでキャップをワンタッチで着脱することができる。
【０００７】
また、本発明は、請求項１に記載の容器のキャップ装置において、キャップ離脱部材が当接する容器の一部が容器肩部からなることを特徴とする容器のキャップ装置を提供するものである。
本発明によれば、キャップ離脱操作時に、キャップ離脱部材が容器の肩部に設けた容器の一部に当接してキャップスカート部を上動してキャップを離脱することができるから、例えば、容器の肩部の形状がテーパー面を有しない場合でも、キャップ離脱部材の下面が肩部に支持されるだけで肩部の構造に関わりなくキャップをワンタッチで着脱することができる。
【０００８】
また、本発明は、請求項１、２又は３に記載の容器のキャップ装置において、容器の肩部とキャップ離脱部材との間に装着隙間を設けたことを特徴とする容器のキャップ装置を提供するものである。
本発明によれば、容器の肩部が柔軟なために容器肩部を扁平方向に押し潰したとき肩部が首部方向に持ち上げられ、容器肩部にキャップのキャップ離脱部材が当接して、容器首部に設けた係止突起にキャップの係合突起部が係合し得ない場合に、容器の肩部とキャップ離脱部材との間に装着隙間を設けたことにより、その隙間分で肩部の首部方向への持ち上げ幅を吸収して、係止突起部と係合突起部との係合を可能にすることができる。
【０００９】
また、本発明は、請求項１乃至４のいずれかに記載の容器のキャップ装置において、容器の首部にキャップ離脱部材が当接してキャップのガタを防止するガタ止め部を設けたことを特徴とする容器のキャップ装置を提供するものである。
本発明によれば、容器一部に当接するようにキャップに上下動可能に設けたキャップ離脱部材が、容器の首部のガタ止め部に当接するから、容器とキャップとのガタを無くすことができると共に、キャップ離脱部材がガタ止め部に密封状態で当接する場合には、ガタ止め部でキャップ密封性を発揮することができる。
【００１０】
また、本発明は、請求項１乃至５のいずれかに記載の容器のキャップ装置において、キャップスカート部の上部のキャップ外筒部の内周部に掛け止め突起部を設けると共に、キャップ離脱部材の上部に取付支持部を設け、取付支持部の外周部に前記掛け止め突起部に上下動自在に係合する上下摺動係合部を設けたことを特徴とする容器のキャップ装置を提供するものである。
本発明によれば、キャップ外筒部の内周部に設けた掛け止め突起部に、キャップ離脱部材の上下摺動取付部が上下動自在に係合するから、キャップ離脱部材をキャップに対して確実に自在に上下摺動するように取り付けることができる。
【００１１】
また、本発明は、請求項１乃至６のいずれかに記載の容器のキャップ装置において、容器の首部とキャップ内筒部との間に、互いに密着して嵌合する密封嵌合部を設けたことを特徴とする容器のキャップ装置を提供するものである。
本発明によれば、ワンタッチで装着したキャップ装置において、容器の首部とキャップ内筒部とが密封嵌合部で互いに密着して嵌合するから、確実な密封状態を得ることができると共に、容器の開口部からシール材や内栓等を除去した後の使用時においても、その隙間分を吸収して密封することができる。
【００１２】
また、本発明は、請求項１乃至７のいずれかに記載の容器のキャップ装置において、キャップ離脱部材の上面に上動テーパ面を設けたことを特徴とする容器のキャップ装置を提供するものである。
キャップ離脱部材の上面に上動テーパ面を設けたことにより、キャップスカート部を上動テーパ面に容易に当接するように構成することができる。
また、本発明は、請求項１乃至８のいずれかに記載の容器のキャップ装置において、キャップ離脱部材の下面が容器の一部に当接するように設けたことを特徴とする容器のキャップ装置を提供するものである。
キャップ離脱部材の下面が容器の一部に当接するように設けたことにより、キャップ離脱部材を容器の一部に容易に当接するように構成することができる。
【００１３】
【発明の実施の形態】
以下図示する実施例に基づいて本発明の実施の形態を説明する。
図において、１０は容器、１は容器胴部、２は容器肩部、３は容器首部、４は容器首部３に設けた係止突起部で、緩斜面５、頂部６、急斜面７からなる。頂部６は滑らかで広狭適宜な幅の平坦部又は凸状円弧部として形成してある。８は係止突起部４の上部の容器首部３として位置する上首部、９は容器開口頭部である。１１は容器開口部でシール材１２により覆われている。容器上首部８と容器開口頭部９の間にはテーパ１３を有する段部１４を介してキャップ内筒部２１の密封雌型嵌合部２２との間において互いに密着して嵌合する密封雄型嵌合部１５を設けてある。
【００１４】
容器首部３に嵌合するキャップ内筒部２１には、弾性脚部２４を介して前記係止突起部４に着脱自在に係合するキャップ係合突起部２３が一体に設けてあり、弾性脚部２４の拡開弾性変形を伴ってキャップ係合突起部２３が係止突起部４の頂部６を乗り越えるとき、密封雌型嵌合部２２と密封雄型嵌合部１５とが密封状態で嵌合するように構成してある。弾性脚部２４は、実施例の場合、図４又は図５に明記した通り、内筒部２１から密封雌型嵌合部２２を介して大径に設けた筒状部を縦方向のスリット３７により等分割すると共に、筒状部の内側下端部に円弧状にキャップ係合突起２３を設けてある。
【００１５】
キャップ係合突起部２３の頂部２９は、係止突起部４の頂部６との係合関係から広狭適宜な幅の平坦部又は凸状円弧部として形成してある。図示の実施例の場合、容器開口部１１に設けたシール材１２の有無にかかわらず、密封雌型嵌合部２２と密封雄型嵌合部１５とが一定の範囲で密封状態を維持して嵌合するように構成してある。
また、図１に記載の実施例では、シール材１２の上面にキャップ内筒部２１の天板部２７が密着する状態で係止突起部４の頂部６をキャップ係合突起部２３が完全に乗り越えた状態に記載してあるが、シール材１２がある未使用状態では乗り越え完了前の状態にあり、シール材１２を除去しての使用状態で容器開口部１１にキャップ内筒部２１の天板部２７が密着し密封し、係止突起部４の頂部６をキャップ係合突起部２３が完全に乗り越えるように構成することも勿論可能である。
【００１６】
従って、シール材１２が存在する未使用の状態で、係止突起部４の頂部６をキャップ係合突起部２３が完全に乗り越えない状態で天板部２７に密着弾力を及ぼして係合し、シール材１２を除去した状態で完全に乗り越えて容器開口部１１に天板部２７を密着させる構成にすることも可能である。また、この場合、係止突起部４の頂部６をキャップ係合突起部２３が完全に乗り越えた状態でも、なお且つ容器開口部１１に対する天板部２７に密着弾力を及ぼす構成にすることも勿論可能である。
また、図示の実施例において、例えば、シール材１２を除去したために容器開口部１１と天板部２７との間に隙間が生じたとしても、密封雌型嵌合部２２と密封雄型嵌合部１５とが密封状態で嵌合することによって、容器開口部１１とキャップ内筒部２１との間の密封性は維持されることとなる。
【００１７】
また、弾性脚部２４の拡開弾性変形を伴ってキャップ係合突起部２３が係止突起部４の緩斜面５を経て頂部６を乗り越え急斜面７に落ち込むときのクリック感を重視する場合には、乗り越え完了時に、容器開口部１１と天板部２７との間の密着性を緩くするか、僅かに隙間が生じるようにすると共に、密封雌型嵌合部２２と密封雄型嵌合部１５との密封状態を緩く又は浅く嵌合する傾向に適宜に調整して構成することが好ましい。
【００１８】
また、弾性脚部２４の拡開弾性変形を伴ってキャップ係合突起部２３が係止突起部４の頂部６を乗り越えて係合するとき、弾性脚部２４の根元近傍に位置する密封雌型嵌合部１５が弾性脚部２４の拡開弾力を受けて僅かに拡開し円滑に密封雄型嵌合部１５に嵌合すると共に、キャップ係合突起部２３が係止突起部４の頂部６を乗り越えて係合を完了すると、密封雌型嵌合部１５は弾性脚部２４の狭まる方向への弾性復帰作動に伴い僅かに密封雄型嵌合部１５を挟持する傾向に嵌合し密封性を確保するように構成することも可能である。
【００１９】
また、図示の実施例において、２５はキャップ外筒部２６に設けた弾性変形可能なキャップスカート部で、キャップスカート部２５の内周には容器肩部２に下面３２が当接した状態で上面にキャップスカート部２５が当接する上動テーパ面３１を有するキャップ離脱部材３０を設けてあり、図２又は図７に記載のように、キャップスカート部２５の外周部に押圧力を加えてキャップ離脱部材３０の下面３２を容器肩部２に当接した状態でキャップ離脱部材３０の上面の上動テーパ面３１にキャップスカート部２５を当接せしめると、上動テーパ面３１に沿ってキャップスカート部２５が上動するのに伴ってキャップ２０は上動し、容器首部３の係止突起部４の頂部６をキャップ２０の係合突起部２３が乗り越えて離脱し、キャップ２０を容器首部３からワンタッチで取り外すことができるように構成してある。
【００２０】
このとき、キャップ２０の係合突起部２３は係止突起部４の急斜面７に対してやや滑らかなテーパ部２８で当接しており、弾性脚部２４の弾性変形に伴って係合突起部２３は係止突起部４の頂部６を一気に乗り越えて離脱するように構成してある。
なお、弾性脚部２４の拡開弾性変形を伴ってキャップ係合突起部２３が係止突起部４を乗り越えるとき、弾性脚部２４の根元近傍に位置する密封雌型嵌合部１５が弾性脚部２４の拡開弾力を受けて僅かに拡開し円滑に密封雄型嵌合部１５から離脱するように構成することも可能である。
【００２１】
ここで、キャップ離脱部材３０に対してキャップスカート部２５、即ちキャップ２０は、少なくとも離脱時に係合突起部２３が係止突起部４の頂部６を下方から上方に乗り越えるに充分な乗り越え距離だけ上下動可能に設けてあり、離脱する時にはキャップ離脱部材３０に対してキャップ２０が乗り越え距離だけ上動することとなる。また、この状態でキャップ２０を容器首部３に装着するときには、キャップ離脱部材３０が容器肩部２に当接して更に乗り越え距離分だけキャップ２０を押し下げるとキャップスカート部２５がキャップ離脱部材３０の上面に当接する位置に降下し、同時に係合突起部２３は係止突起部４に係合し、装着が完了することとなる。
【００２２】
また、図１に示す実施例の場合、キャップスカート部２５とキャップ離脱部材３０とが当接する状態で、容器肩部２とキャップ離脱部材３０との間に装着隙間３３を設けてあるが、この装着隙間３３は、図３に記載のように、キャップ離脱部材３０を容器肩部２に当接する位置まで押し下げた状態では、キャップスカート部２５とキャップ離脱部材３０との間に生じることとなる。
【００２３】
即ち、図示の実施例の場合、押し出しチュ−ブ容器等において、容器の肩部２が柔軟なために、内容物を押し出す際、容器肩部２を扁平方向に押し潰したときに肩部２が首部３方向に持ち上がり、キャップ２０を被せるときに、持ち上がった容器肩部２にキャップ離脱部材３０が当接しキャップスカート部２５が下降を阻止されて、容器首部３に設けた係止突起４にキャップの係合突起部２３が係合し得ないこととなるが、この場合に、容器の肩部２とキャップ離脱部材３０との間に装着隙間３３を設けたことにより、その隙間３３分で肩部２の首部３方向への持ち上げ幅を吸収して、係止突起部４と係合突起部２３との係合を可能にすることができるように構成してある。
【００２４】
また、図８に記載のように、キャップ離脱部材３０の下面３２が容器首部３に設けた突起部３８等からなる容器の一部に当接して下動を阻止され、キャップスカート部２５を上動テーパ面３１に沿って上動してキャップ２０を離脱する構成の場合であっても、容器の肩部２とキャップ離脱部材３０との間に装着隙間３３を設けることにより、その隙間３３部分で肩部２の首部３方向への持ち上げ幅を吸収して、係止突起部４と係合突起部２３との係合を可能にすることができる。
【００２５】
しかし、例えば、首部３の長い容器１０において、キャップ離脱部材３０の下面３２が容器首部３に設けた突起部３８等からなる容器の一部に当接して下動を阻止され、キャップスカート部２５を上動テーパ面３１に沿って上動してキャップ２０を離脱する構成の場合のように、容器の肩部２とキャップ離脱部材３０との間に容器肩部２の変形による上動の影響を受けない充分な距離がある場合には、前記装着隙間３３を敢えて設ける必要がないことは勿論である。
【００２６】
なお、キャップ離脱部材３０に縦方向に凹凸状のテーパ面を設けると共に、キャップスカート部に凹凸面を設け、キャップ離脱部材３０側の凹部テーパ面にキャップスカート部側の凸面が当接するように構成することにより、キャップ離脱部材３０の上面の凸状テーパ面に限らず、凹状テーパ面を上動テーパ面３１とする構成にすることも可能である。
また、キャップ上動時に、キャップ離脱部材３０が容器の一部に当接する部分も、キャップ離脱部材３０の下面に限らず、下方に突出する突起部や鉤掛け部等であっても良い。
【００２７】
また、実施例の場合、キャップ離脱部材３０は上動テーパ面３１の基端部付近で括れており、その括れ部３４が容器首部２のガタ止め部１６に、僅かに接するか、又は、僅かな隙間を介して相対し、容器胴部１に対してキャップ２０を揺らせたときに、キャップ２０がガタつかないように構成してある。キャップ離脱部材３０の括れ部３４は容器首部３に設けた係止突起部４の外側を通過するに充分な内径を有することから、図示の実施例の場合、ガタ止め部１６は肩部２に接して首部３の下端部に首部３の係止突起部４より大径に設けてあるが、その位置は首部３の中間部でも良く、また、キャップ離脱部材３０の括れ部３４が弾性脚部２４のように係止突起部４を乗り越えるに充分な弾性変形性を有する場合には、ガタ止め部１６の大きさも首部２と同等程度であっても良い。
このガタ止め部１６と括れ部３４とによって、容器１０とキャップ２０とのガタを無くすことができると共に、キャップ離脱部材３０の括れ部３４がガタ止め部１６に密封状態で当接する構成の場合には、ガタ止め部１６でキャップ密封性を発揮することができる。
【００２８】
また、本発明は、図示の実施例の場合、キャップスカート部２５の上部のキャップ外筒部２６の内周部に上下動隙間１８を有する掛け止め突起部１７を設けると共に、キャップ離脱部材３０の上部に取付支持枠部３５を設け、取付支持枠部３５の外周部に前記掛け止め突起部１７に上下動自在に係合する上下摺動係合部３６を設けてあり、キャップ外筒部２６の内周部に設けた掛け止め突起部１７に、キャップ離脱部材３０の上下摺動係合部３６が上下動自在に係合するから、キャップ離脱部材３０をキャップ２０に対して確実に自在に上下摺動するように取り付けることができる。
なお、前記図１〜図８に記載の実施例の場合、取付支持枠部３５はカップ状に上方が一体に設けてあるが、図９に記載のように、掛け止め突起部１７に上下摺動係合部３６が容易に係合し且つ円滑に上下動するように、上下摺動係合部３６の弾性変形を容易にするように、この部分に縦方向にスリット３９を設けることも可能である。
【００２９】
掛け止め突起部１７と上下摺動係合部３６との間に上下動のために設けた上下動隙間１８は、容器係止突起部４をキャップ係合突起部２３が乗り越えるためのキャップ離脱部材３０に対するキャップスカート部２５、即ちキャップ２０の上下動のための必須の上下動間隔と、容器肩部２とキャップ離脱部材３０との間に装着隙間３３を設けた場合の選択的な上下動間隔を包含するものである。
なお、上下動隙間１８を有する掛け止め突起部１７をキャップの内筒部２１と外筒部２６とを連結する連結枠部１９の外周部に設けて、これに取付支持枠部３５の内周部に設けた上下摺動係合部３６を前記掛け止め突起部１７に上下動自在に係合する構成にすることも勿論可能である。
【００３０】
また、上下動隙間１８内にバネ弾性部材を設けてキャップ離脱部材３０に常時下動位置に移動する方向の押圧弾力を付与し、キャップ２０を装着した際に、キャップスカート部２５の内側に上下動隙間１８又は装着隙間３３を埋めてキャップ離脱部材３０が占位し、容器肩部２又は首部３とキャップ離脱部材３０の下面３２とが密着して、密封性を有するようにすると共に、離脱時にバネ弾性部材により円滑にキャップを離脱するように構成することもできる。
【００３１】
【発明の効果】
以上の通り、本発明に係る容器のキャップ装置によれば、容器首部に係止突起部を設けると共に、容器開口部を覆うように容器首部に嵌合するキャップ内筒部に、前記係止突起部に着脱自在に係合するキャップ係合突起部を設ける一方、キャップ外筒部に弾性変形可能なキャップスカート部を設けてなるキャップを容器首部にワンタッチで装着することができる容器のキャップ装置において、キャップスカート部の内周にキャップスカート部が当接する上動テーパ面を有するキャップ離脱部材を設け、キャップスカート部の外周部に押圧力を加えてキャップ離脱部材を容器の一部に当接した状態でキャップ離脱部材の上動テーパ面にキャップスカート部を当接せしめてキャップを上動し、容器首部の係止突起からキャップの係合突起部を離脱してキャップを容器首部からワンタッチで取り外すことができる構成を有するから、キャップスカート部に押圧力を加えキャップ離脱部材の上動テーパ面に押し当てると、キャップはキャップ離脱部材に沿って上動し、それまで容器首部の係止突起部に係合していた係合突起部がキャップの上動に伴って離脱し、キャップを容器首部からワンタッチで取り外すことができ、逆に、キャップを容器首部に嵌着するときには、容器首部に設けた係止突起にキャップの係合突起部が直線的に係合してワンタッチでキャップの装着が完了するから、容器の首部又は肩部等の容器の一部がキャップスカート部によりキャップを押し上げるに充分なテーパ状を有しない容器や、容器の首部がキャップスカート部より長い容器や、容器の肩部等が柔軟でキャップスカート部を当接してキャップを押し上げることができない容器等の場合においても、キャップをワンタッチで着脱することができる効果がある。
【００３２】
また、本発明は、請求項１に記載の容器のキャップ装置において、キャップ離脱部材が当接する容器の一部が容器首部に設けてある構成を有することにより、キャップ離脱操作時に、キャップ離脱部材が容器の首部に設けた容器の一部に当接してキャップスカート部を上動してキャップを離脱することができるから、例えば、容器の首部が長い容器の場合のように、容器の肩部の位置や形状にかかわらず、首部の構造だけでキャップをワンタッチで着脱することができる効果がある。
【００３３】
また、本発明は、請求項１に記載の容器のキャップ装置において、キャップ離脱部材が当接する容器の一部が容器肩部からなる構成を有することにより、キャップ離脱操作時に、キャップ離脱部材が容器の肩部に設けた容器の一部に当接してキャップスカート部を上動してキャップを離脱することができるから、例えば、容器の肩部の形状がキャップ離脱部材を上動させるのに適当なテーパー面を有しない場合でも、キャップ離脱部材の下面が肩部に支持されるだけで肩部の構造に関わりなくキャップをワンタッチで着脱することができる効果がある。
【００３４】
また、本発明は、請求項１、２又は３に記載の容器のキャップ装置において、容器の肩部とキャップ離脱部材との間に装着隙間を設けた構成を有することにより、容器の柔軟な肩部を扁平方向に押し潰したとき肩部が首部方向に持ち上げられ、容器肩部にキャップ離脱部材が当接して、容器首部に設けた係止突起にキャップの係合突起部が係合し得ない場合等に、容器の肩部とキャップ離脱部材との間に装着隙間を設けたことにより、その隙間分で肩部の首部方向への持ち上げ幅を吸収してキャップの係合突起部を下動し、係止突起部と係合突起部との係合を可能にすることができる効果がある。
【００３５】
また、本発明は、請求項１乃至４のいずれかに記載の容器のキャップ装置において、容器の首部にキャップ離脱部材が当接してキャップのガタを防止するガタ止め部を設けた構成を有することにより、容器の一部に当接するようにキャップに上下動可能に設けたキャップ離脱部材が、容器の首部のガタ止め部に当接して、容器とキャップとのガタを無くすことができる効果があると共に、キャップ離脱部材がガタ止め部に密封状態で当接する場合には、ガタ止め部でキャップ密封性を発揮することができる効果がある。
【００３６】
また、本発明は、請求項１乃至５のいずれかに記載の容器のキャップ装置において、キャップスカート部の上部のキャップ外筒部の内周部に掛け止め突起部を設けると共に、キャップ離脱部材の上部に取付支持部を設け、取付支持部の外周部に前記掛け止め突起部に上下動自在に係合する上下摺動係合部を設けた構成を有することにより、キャップ離脱部材をキャップに対して円滑且つ確実に上下摺動するように取り付けることができる効果がある。
【００３７】
また、本発明は、請求項１乃至６のいずれかに記載の容器のキャップ装置において、容器の首部とキャップ内筒部との間に、互いに密着して嵌合する密封嵌合部を設けた構成を有することにより、ワンタッチで装着したキャップ装置において、容器の首部とキャップ内筒部とが密封嵌合部で互いに密着して嵌合し、確実な密封状態を得ることができるから、容器の開口部からシール材１２や内栓等を除去した後の使用時において、容器開口部とキャップ天板部との間に隙間が生じたとしても密封嵌合部で確実な密封状態を得ることができる効果があると共に、隙間が僅かな場合には密封嵌合部の嵌合代でその隙間分を吸収して開口部を天板部で密封することができる効果がある。
【００３８】
また、本発明は、請求項１乃至７のいずれかに記載の容器のキャップ装置において、キャップ離脱部材の上面に上動テーパ面を設けた構成を有することにより、キャップスカート部を上動テーパ面に容易に当接するように構成することができる効果がある。
また、本発明は、請求項１乃至８のいずれかに記載の容器のキャップ装置において、キャップ離脱部材の下面が容器の一部に当接するように設けた構成を有することにより、キャップ離脱部材を容器の一部に容易に当接するように構成することができる効果がある。
【図面の簡単な説明】
【図１】      本発明の一実施例の要部の一使用状態を一部縦断して示す概略正面図。
【図２】      本発明の一実施例の要部の一使用状態を一部縦断して示す概略正面図。
【図３】      本発明の一実施例の要部の一使用状態を一部縦断して示す概略正面図。
【図４】      本発明の一実施例の要部を分割し一部縦断して示す概略斜面図。
【図５】      本発明の一実施例の要部の一部を縦断して示す概略斜面図。
【図６】      本発明の一実施例の要部を分解し一部縦断して示す概略正面図。
【図７】      本発明の一実施例の一連の使用状態を分解して示す概略説明図。
【図８】      本発明の一実施例の要部の一使用状態を一部縦断して示す概略正面図。
【図９】      本発明の一実施例の要部を取り出して示す概略斜面図。
【符号の説明】
１      容器胴部
２      容器肩部
３      容器首部
４      係止突起部
５      緩斜面
６      頂部
７      急斜面
８      容器上首部
９      容器開口頭部
１０    容器
１１    容器開口部
１２    シール材
１３    テーパ
１４    段部
１５    密封雄型嵌合部
１６    ガタ止め部
１７    掛け止め突起部
１８    上下動隙間
１９    連結枠部
２０    キャップ
２１    キャップ内筒部
２２    密封雌型嵌合部
２３    キャップ係合突起部
２４    弾性脚部
２５    キャップスカート部
２６    キャップ外筒部
２７    天板部
２８    テーパ部
２９    頂部
３０    キャップ離脱部材
３１    上動テーパ面
３２    下面
３３    装着隙間
３４    括れ部
３５    取付支持枠部
３６    上下摺動係合部
３７    スリット
３８    突起部
３９    スリット
【図１】
0004199889.tif 000002
【図２】
0004199889.tif 000003
【図３】
0004199889.tif 000004
【図４】
0004199889.tif 000005
【図５】
0004199889.tif 000006
【図６】
0004199889.tif 000007
【図７】
0004199889.tif 000008
【図８】
0004199889.tif 000009
【図９】
0004199889.tif 000010